(57)【特許請求の範囲】
【請求項１】
電源モジュールにより電力が供給され、顕微鏡本体に支持されたステージ上の標本の像を拡大して観察する顕微鏡装置において、
顕微鏡本体はアーム部と、前記アーム部を支持するベース部とからなり、
前記ベース部の背面側であって、焦準ハンドルが設けられる位置より下部に前記電源モジュールを収納する収納部が付設され、
前記電源モジュールにより前記顕微鏡装置に電力を供給して観察する際、前記電源モジュールが前記収納部内外に出し入れ自在であり、
前記収納部の底面の開口部側に、収納された前記電源モジュールの脱落を防止する壁状の脱落防止手段が設けられていることを特徴とする顕微鏡装置。
【請求項２】
前記顕微鏡装置は、前記ベース部内に照明光学系およびＬＥＤ光源が設けられた正立顕微鏡であることを特徴とする請求項１に記載の顕微鏡装置。
【請求項３】
前記電源モジュールは、ＡＣアダプタであることを特徴とする請求項１または２に記載の顕微鏡装置。
【発明の詳細な説明】
【技術分野】
【０００１】
本発明は、電源モジュールを収納する収納部を備える顕微鏡装置に関する。
【背景技術】
【０００２】
従来、医学や生物学等の分野では、細胞等の観察に、標本を照明して観察する顕微鏡が用いられている。また、工業分野においても、金属組織等の品質管理や、新素材の研究開発、電子デバイスや磁気ヘッドの検査等、種々の用途で顕微鏡が利用されている。一般的な顕微鏡では、照明系等に電力を供する電源ユニットを有している。顕微鏡への電力供給源の多くは家庭用電源であるため、通常は変圧器により電圧の変換、および交流から直流への変換をしたうえで、顕微鏡に電力が供給される。
【０００３】
変圧器の形態としては、内部回路によって行う方式と、ＡＣアダプタとして外付けにする方式があるが、メンテナンスが容易であり、熱、電気ノイズによる影響も低減できることから、外付け方式が多く採用されている。その一方、変圧器を外付けした場合、顕微鏡本体と別体であることから、観察の際ＡＣアダプタが邪魔になったり、運搬性や収納性が劣るという問題を有している。
【０００４】
外付けにしたＡＣアダプタの運搬性、収納性を改善する技術として、顕微鏡本体にプラグ差込口を有するＡＣアダプタ収納部を設け、このプラグ差し込み口にプラグ一体型のＡＣアダプタのプラグを差し込むことにより、ＡＣアダプタを固定可能な顕微鏡が開示されている（例えば、特許文献１参照）。
【先行技術文献】
【特許文献】
【０００５】
【特許文献１】米国特許出願公開第２００９／００２１８２６号明細書
【発明の概要】
【発明が解決しようとする課題】
【０００６】
しかしながら、特許文献１では、顕微鏡で観察を行う際、ＡＣアダプタを顕微鏡本体から取り外して使用するため、顕微鏡の設置スペースにゆとりがない場合、ＡＣアダプタが邪魔になるという問題を解決することはできない。
【０００７】
本発明は、上記に鑑みてなされたものであって、顕微鏡の運搬性、収納性を向上するとともに、観察の際に省スペースを可能とする顕微鏡装置を提供することを目的とする。
【課題を解決するための手段】
【０００８】
上述した課題を解決し、目的を達成するために、本発明の顕微鏡装置は、電源モジュールにより電力が供給され、顕微鏡本体に支持されたステージ上の標本の像を拡大して観察する顕微鏡装置において、顕微鏡本体はアーム部と、前記アーム部を支持するベース部とからなり、前記ベース部の背面側であって、焦準ハンドルが設けられる位置より下部に前記電源モジュールを収納する収納部が付設され、前記電源モジュールにより前記顕微鏡装置に電力を供給して観察する際、前記電源モジュールが前記収納部内外に出し入れ自在であり、前記収納部の底面の開口部側に、収納された前記電源モジュールの脱落を防止する壁状の脱落防止手段が設けられていることを特徴とする。
【００１１】
また、本発明の顕微鏡装置は、上記発明において、前記収納部に、収納された前記電源モジュールの脱落を防止する脱落防止手段が設けられることを特徴とする。
【００１２】
また、本発明の顕微鏡装置は、上記発明において、前記電源モジュールは、ＡＣアダプタであることを特徴とする。
【発明の効果】
【００１３】
本発明にかかる顕微鏡装置は、電源モジュールにより顕微鏡装置に電源を供給する際、電源モジュールが収納部内外に出し入れ自在であるため、顕微鏡の設置スペースにゆとりがない場合であっても、電源モジュールが邪魔にならずに観察を行うことができる。
【図面の簡単な説明】
【００１４】
【図１】図１は、本発明の実施の形態１にかかる顕微鏡装置の概略構成を示す側面図である。
【図２】図２は、図１の顕微鏡装置の背面図である。
【図３】図３は、本発明の実施の形態１の変形例１にかかる顕微鏡装置の収納部の断面図である。
【図４】図４は、本発明の実施の形態１の変形例２にかかる顕微鏡装置の収納部の断面図である。
【図５】図５は、本発明の実施の形態２にかかる顕微鏡装置の収納部の断面図である。
【図６】図６は、図５に示す収納部の背面図である。
【図７】図７は、本発明の実施の形態３にかかる顕微鏡装置の収納部の断面図である。
【図８】図８は、本発明の実施の形態４にかかる顕微鏡装置の収納部の断面図である。
【図９】図９は、本発明の実施の形態５にかかる顕微鏡装置の収納部の断面図である。
【図１０】図１０は、本発明の実施の形態６にかかる顕微鏡装置の収納部に設けられる脱落防止手段を説明する図である。
【図１１】図１１は、本発明の実施の形態７にかかる顕微鏡装置の収納部に設けられる脱落防止手段を説明する図である。
【図１２】図１２は、本発明の実施の形態７の脱落防止手段で使用するプレートの正面図である。
【図１３】図１３は、本発明の実施の形態８にかかる顕微鏡装置の収納部に設けられる脱落防止手段を説明する図である。
【図１４】図１４は、本発明の実施の形態９にかかる顕微鏡装置の概略構成を示す側面図である。
【発明を実施するための形態】
【００１５】
以下に、本発明の実施の形態にかかる顕微鏡装置を図面に基づいて詳細に説明する。なお、この実施例によりこの発明が限定されるものではない。さらに、図面の記載において、同一部分には同一の符号を付している。さらにまた、図面は、模式的なものであり、各部材の厚みと幅との関係、各部材の比率等は、現実と異なることに留意する必要がある。また、図面の相互間においても、互いの寸法や比率が異なる部分が含まれている。
【００１６】
（実施の形態１）
図１は、本発明の実施の形態１にかかる顕微鏡装置の概略構成を示す側面図である。図２は、図１の顕微鏡装置の背面図である。なお、図１において、ベース部の一部を断面として示している。実施の形態１は、ステージ下部から照明光を標本に照射し、アーム部により保持された対物レンズにより標本を透過した像を拡大観察する正立顕微鏡を例として説明する。なお、本明細書において、検鏡者が観察のために位置する側を顕微鏡装置の前面、前面と対向する側を顕微鏡装置の背面とする。
【００１７】
顕微鏡装置１００は、顕微鏡本体１に、ステージ２、レボルバ３および鏡筒４が設けられている。顕微鏡本体１は、顕微鏡装置１００の各構成部材を支持する筐体であり、アルミ合金等や、プラスチック材料から形成されたパーツの組み合わせにより構成されている。顕微鏡本体１は、図示しない照明光学系および光源７を内設するベース部１ａと、ステージ２とともに、レボルバ３および鏡筒４を保持するアーム部１ｂとを有する。
【００１８】
鏡筒４は、アーム部１ｂの上面に着脱自在に取り付けられており、内部に図示しない観察光学系が内設されるとともに、接眼レンズ６が取り付けられている。顕微鏡装置１００により観察を行う際、鏡筒４は接眼レンズ６が顕微鏡装置１００の前面側になるよう取り付けられるが、鏡筒４は回転可能であり、接眼レンズ６が顕微鏡装置１００の背面側を向くように回転させ、背面側から標本を観察したり、収納することもできる。
【００１９】
レボルバ３は、アーム部１ｂの下面に取り付けられ、倍率の異なる複数の対物レンズ５が着脱自在に取り付けられている。焦準ハンドル９の操作により、ステージ２が光軸に沿って上下動し、ステージ２上の標本と対物レンズ５との相対距離が変化し、ピント調整が行われる。  
【００２０】
上記のように、顕微鏡装置１００は、ステージ２に載置した標本に、ベース部１ａ内の照明光学系および光源７により光を照射し、焦準ハンドル９を回動操作しながら、対物レンズ５、観察光学系及び接眼レンズ６により標本の拡大像を得て観察を行う。
【００２１】
顕微鏡装置１００には、電源モジュール１０により電力が供給される。電源モジュール１０は、ＡＣアダプタ１１と電源ケーブル１２とからなる。ＡＣアダプタ１１は、アダプタ本体部１１ａと、ケーブル１１ｂと、コネクタ１１ｃとを備え、コネクタ１１ｃはベース部１ａに設けられた接続端子１６に挿入される。電源ケーブル１２は、電源プラグ１２ａと、ケーブル１２ｂとを備え、電源プラグ１２ａがコンセントに挿入される。電源モジュール１０および接続端子１６により光源回路８に電力が供給されて、光源７から標本に照明が照射される。光源７は、小型化が容易であることからＬＥＤ（Ｌｉｇｈｔ  Ｅｍｉｔｔｉｎｇ  Ｄｉｏｄｅ）照明であることが好ましい。
【００２２】
実施の形態１において、ＡＣアダプタ１１と電源ケーブル１２とは着脱可能である。電源プラグ１２ａの使用が異なる国で使用する場合、電源ケーブル１２のみを取り換えて使用することができる。
【００２３】
ベース部１ａの背面であって、焦準ハンドル９が設けられる位置より下部に、ＡＣアダプタ１１を収納する収納部２０が設けられる。収納部２０は、開口部２１を有する箱状の空洞部であり、開口部２１には、顕微鏡装置１００の運搬時に収納部２０からＡＣアダプタ１１の脱落を防止する脱落防止部２２が設けられる。なお、収納部２０は、焦準ハンドル９が設けられる位置より下部であって、光源回路８と干渉しない位置であれば、ベース部１ａの側面に設けてもよい。
【００２４】
収納部２０は、ＡＣアダプタ１１全体が収納できる大きさに形成される。収納部２０の高さは、上面が焦準ハンドル９の下側になる高さであって、奥行は、光源回路８と干渉しない長さである。脱落防止部材２２は、収納部２０の底面の開口部２１側に設けられた壁状の部材である。脱落防止部材２２の高さは、ＡＣアダプタ１１が収納部２０からの脱落防止、および開口部２１からのＡＣアダプタ１１の収納のし易さを考慮して決定すればよい。脱落防止部２２は、ＡＣアダプタ１１の脱落を防止できれば、収納部２０の底面の一部分のみに設けられていてもよい。
【００２５】
実施の形態１では、コネクタ１１ｃを接続端子１６に接続、かつ、電源ケーブル１２をアダプタ本体部１１ａに接続した状態で、ＡＣアダプタ１１を収納部２０に収納することができる。また、ＡＣアダプタ１１を収納部２０に収納した状態で、電源プラグ１２ａをコンセントに接続することにより、顕微鏡装置１００に電力を供給し観察を行うことができる。ＡＣアダプタ１１を収納部２０に収納した状態で観察を行うことができるため、観察スペースが狭い場合でも、ＡＣアダプタ１１が邪魔になることがない。また、収納部２０にＡＣアダプタ１１の脱落防止部２２が設けられているため、運搬時にＡＣアダプタ１１の脱落の恐れを低減することができる。
【００２６】
実施の形態１にかかる顕微鏡装置１００は、ＡＣアダプタ１１を収納部２０に収納した状態で観察を行うことができるため、顕微鏡装置１００の設置スペースが狭い場合でもＡＣアダプタ１１が邪魔にならず観察できるが、設置スペースにゆとりがある場合や、設置スペースからコンセントが遠い場合は、ＡＣアダプタ１１を収納部２０から取り出して使用することができる。
【００２７】
実施の形態１では、ＡＣアダプタ１１を収納部２０に収納しているが、収納部を大きくすることによりＡＣアダプタ１１および電源ケーブル１２を収納してもよい。図３は、本発明の実施の形態１の変形例１にかかる顕微鏡装置の収納部の断面図である。図３において、ベース部の一部を断面として示している。変形例１にかかる顕微鏡装置１００Ａにおいて、収納部２０Ａは、ＡＣアダプタ１１および電源ケーブル１２を収納できる大きさである。収納部２０Ａを大きくすることにより、ＡＣアダプタ１１および電源ケーブル１２を収納部２０Ａに収納することができる。
【００２８】
また、収納部には、バッテリを収納してもよい。図４は、本発明の実施の形態１の変形例２にかかる顕微鏡装置の収納部の断面図である。図４において、ベース部の一部を断面として示している。変形例２にかかる顕微鏡装置１００Ｂにおいて、バッテリ１３は、バッテリ本体部１３ａと、ケーブル１３ｂと、コネクタ１３ｃとを備え、コネクタ１３ｃはベース部１ａに設けられた接続端子１６に挿入される。電源モジュールとしてバッテリ１３を使用する場合でも、バッテリ１３を収納部２０に収納した状態で、顕微鏡装置１００Ｂに電力を供給し観察を行うことができるため、観察スペースが狭い場合でも、バッテリ１３が邪魔になることがない。
【００２９】
（実施の形態２）
実施の形態２では、開口部を縦長に形成して収納部からのＡＣアダプタの脱落を防止する。図５は、本発明の実施の形態２にかかる顕微鏡装置の収納部の断面図である。図６は、図５に示す収納部の背面図である。なお、図５において、ベース部の一部を断面として示している。
【００３０】
実施の形態２に係る顕微鏡装置１００Ｃにおいて、開口部２１Ｃの高さＲ１は、収納部２０Ｃの高さと同じであって、アダプタ本体部１１ａの長辺Ｒ４より大きく、開口部２１Ｃの幅Ｒ２は、アダプタ本体部１１ａの短辺Ｒ３より大きい。ＡＣアダプタ１１ａは、ＡＣアダプタ１１ａの長辺Ｒ４を縦方向として開口部２１Ｃから収納部２０Ｃに挿入し、その後長辺Ｒ４が横方向となるようＡＣアダプタ１１ａを回転させて設置する。脱落防止部２２Ｃは、開口部２１Ｃの両側面の壁状の部材である。開口部２１Ｃを上記の形状とすることにより、実施の形態１と同様の効果を得ることができる。
【００３１】
また、脱落防止手段として、収納部に着脱可能な蓋部を設けてもよい。顕微鏡装置の運搬、収納時には、ＡＣアダプタを収納部に蓋部を被せ、収納部からのＡＣアダプタの脱落を防止し、観察時には、蓋部を外して開口部からケーブル１１ｂを取り出し、コネクタ１１ｃを接続端子１６に挿入すればよい。
【００３２】
（実施の形態３）
実施の形態３では、収納部の底面にテーパを形成して収納部からのＡＣアダプタの脱落を防止する。図７は、本発明の実施の形態３にかかる顕微鏡装置の収納部の断面図である。図７において、ベース部の一部を断面として示している。
【００３３】
実施の形態３にかかる顕微鏡装置１００Ｄにおいて、収納部２０Ｄの底面にはテーパ部２２Ｄが形成されている。収納部２０Ｄの開口部２１側より奥側が低くなるようテーパ部２２Ｄを形成することにより、収納部２０ＤからＡＣアダプタ１１の脱落を防止することができる。実施の形態３において、テーパ部２２Ｄが脱落防止手段として機能する。
【００３４】
（実施の形態４）
実施の形態４では、収納部の底面に滑り止め部材が敷設される。図８は、本発明の実施の形態４にかかる顕微鏡装置の収納部の断面図である。図８において、ベース部の一部を断面として示している。
【００３５】
実施の形態４にかかる顕微鏡装置１００Ｅにおいて、収納部２０Ｅの底面には滑り止め部材２２Ｅが敷設されている。滑り止め部材２２Ｅは、表面に凸凹が形成されたシートや、ゴム等により形成すればよい。運搬等により顕微鏡装置１００Ｅが背面側に傾いた場合でも、滑り止め部材２２Ｅにより収納部２０ＥからのＡＣアダプタ１１の脱落を防止することができる。実施の形態４において、滑り止め部材２２Ｅが脱落防止手段として機能する。
【００３６】
また、脱落防止手段として、粘着性部材を使用することもできる。粘着性部材を使用する場合、収納部の突き当たりの壁面部に粘着性部材を配設する。ＡＣアダプタ１１を収納部に収納する際、粘着性部材を配設した壁面に押し付けることにより、ＡＣアダプタ１１が粘着性部材に保持され、脱落を防止することができる。
【００３７】
（実施の形態５）
実施の形態５では、収納部の上面に押圧部材２３が配設される。図９は、本発明の実施の形態５にかかる顕微鏡装置の収納部の断面図である。図９において、ベース部の一部を断面として示している。
【００３８】
実施の形態５にかかる顕微鏡装置１００Ｆにおいて、収納部２０Ｆの上面には、ばね２３ａと、押え板２３ｂとを備えた押圧部材２３が配設される。収納部２０ＦにＡＣアダプタ１１を収納されると、アダプタ本体部１１ａは、ばね２３ａの付勢力により押え板２３ｂを介して押圧される。これにより、収納部２０ＦからのＡＣアダプタ１１の脱落を防止することができる。実施の形態５において、押圧部材２３が脱落防止手段として機能する。
【００３９】
（実施の形態６）
実施の形態６では、開口部の中央に脱落防止手段が設けられている。図１０は、本発明の実施の形態６にかかる顕微鏡装置の背面に設けられた収納部の脱落防止手段を説明する図である。
【００４０】
実施の形態６にかかる顕微鏡装置１００Ｇにおいて、脱落防止部２４は、ストッパー２４ａと、ストッパー固定部２４ｂと、当て止め部２４ｃとを備える。ストッパー２４ａの一端は、ストッパー固定部２４ｂを回転軸の中心として回転可能として、ストッパー固定部２４ｂにより開口部２１の外周近傍に接合される。ストッパー２４ａは、ＡＣアダプタ１１を収納部２０Ｇに収納する際は、図１０（ａ）に示すように位置し、ＡＣアダプタ１１の収納後、図１０（ｂ）に示すように、時計回りに回転されて当て止め部２４ｃに当てつけられる。このようにして、ストッパー２４ａは開口部２１を横断する位置に配設され、収納部２０ＧからのＡＣアダプタ１１の脱落を防止することができる。
【００４１】
（実施の形態７）
実施の形態７は、自動で動作する脱落防止手段を備える。図１１は、本発明の実施の形態７にかかる顕顕微鏡装置の収納部に設けられる脱落防止手段を説明する図である。図１２は、本発明の実施の形態７の脱落防止手段で使用するプレートの正面図である。図１１において、ベース部の一部を断面として示している。
【００４２】
実施の形態７にかかる顕微鏡装置１００Ｈにおいて、脱落防止手段は、プレート１７と、プレート収容部１８とからなる。プレート１７は、図１２に示すように、平板状のプレート本体部１７ａと、プレート本体部１７ａの中央部に設けられる、収納部２０Ｈの開口部２１と略同形の開口部１７ｂと、係止部１７ｃとを備える。プレート収容部１８は、係止部１７ｃが収容される第１の収容部１８ａと、プレート本体部１７ａが挿入される第２の収容部１８ｂとを備える。プレート１７は、プレート収容部１８内で、顕微鏡装置１００Ｈの据付面に対して上下に動作可能に取り付けられる。
【００４３】
顕微鏡装置１００Ｈが設置スペースに設置されると、図１１（ａ）に示すように、プレート本体部１７ａの端部は据付面に当てつけられ、プレート１７の開口部１７ｂと収納部２０Ｈの開口部２１が重なり合うため、ＡＣアダプタ１１の収納部２０Ｈへの出し入れが可能となる。一方、顕微鏡装置１００Ｈが運搬される際、図１１（ｂ）に示すように、プレート１７は、係止部１７ｃが第１の収容部１８ａの底面で係止されるまで落下する。プレート１７の落下により、プレート１７の開口部１７ｂがずれるため、ＡＣアダプタ１１の脱落を防止できる。
【００４４】
（実施の形態８）
実施の形態８は、自動で動作する脱落防止手段を備える。図１３は、本発明の実施の形態８にかかる顕微鏡装置の収納部に設けられる脱落防止手段を説明する図である。図１３において、ベース部の一部を断面として示している。
【００４５】
実施の形態８にかかる顕微鏡装置１００Ｊにおいて、脱落防止手段１９は、設置検出部１９ａと、平板状の台座１９ｂと、台座１９ｂの端部を固定する固定軸部１９ｃと、孔部１９ｄとを備える。設置検出部１９ａは、端部が孔部１９ｄに挿入され、顕微鏡装置１００Ｊが設置されると、図１３（ａ）に示すように、設置検出部１９ａの端部は据付面に当てつけられて、固定軸部１９ｃとともに台座１９ｂを水平に保持する。一方、顕微鏡装置１００Ｊが運搬される際、図１３（ｂ）に示すように、設置検出部１９ａは、係止部１９ｅが収納部２０Ｊの底面で係止されるまで落下する。設置検出部１９ａの落下により台座１９ｂは固定軸部１９ｃを回転軸の中心として反時計回りに回転する。これにより、アダプタ本体部１１ａは段差部１９ｆにより係止されて脱落を防止できる。
【００４６】
（実施の形態９）
実施の形態９にかかる顕微鏡装置は倒立顕微鏡であって、上記した実施の形態１〜８と同様にＡＣアダプタの収納部を備える。図１４は、本発明の実施の形態９にかかる顕微鏡装置の概略構成を示す側面図である。図１４において、ベース部の一部を断面として示している。
【００４７】
実施の形態９にかかる顕微鏡装置２００は、アーム１ｂに支持された光源７から照明が出射され、コンデンサ１５を介してステージ２上の標本に照明を照射し、標本を透過した光を、対物レンズ５、ベース部１ａおよび鏡筒４に内設される観察光学系（図示しない）、および接眼レンズ６により標本の拡大像を得て観察を行う倒立顕微鏡である。
【００４８】
ベース部１ａの背面に、ＡＣアダプタ１１を収納する収納部２０が設けられる。収納部２０の開口部２１には、顕微鏡装置２００の運搬時に収納部２０からＡＣアダプタ１１の脱落を防止する脱落防止部材２２が設けられる。脱落防止部２２は、収納部２０の底面の開口部２１側に設けられた壁状の部材であるが、上記の実施の形態１〜８で例示した他の脱落防止手段を使用することもできる。実施の形態９にかかる顕微鏡装置２００において、上記の構造とすることにより、実施の形態１と同様の効果を得ることができる。
【００４９】
顕微鏡装置２００は、生細胞を扱う頻度が高いため、収納部２０内、またはステージ２やベース部１ａの各部に防水手段を設けることが好ましい。
【産業上の利用可能性】
【００５０】
以上のように、本発明にかかる顕微鏡装置は、運搬可能な小型の顕微鏡装置に有用である。
【符号の説明】
【００５１】
１  顕微鏡本体
１ａ  ベース部
１ｂ  アーム部
２  ステージ
３  レボルバ
４  鏡筒
５  対物レンズ
６  接眼レンズ
７  光源
８  光源回路
９  焦準ハンドル
１０  電源モジュール
１１  ＡＣアダプタ
１１ａ  アダプタ本体部
１１ｂ、１２ｂ、１３ｂ  ケーブル
１１ｃ、１３ｃ  コネクタ
１２  電源ケーブル
１２ａ  電源プラグ
１３  バッテリ
１３ａ  バッテリ本体部
１５  コンデンサ
１６  接続端子
１７  プレート
１８  プレート収容部
２０、２０Ａ、２０Ｃ、２０Ｄ、２０Ｅ、２０Ｆ、２０Ｇ、２０Ｈ、２０Ｊ  収納部
２１、２１Ｃ  開口部
２２、２２Ｃ  脱落防止部
２２Ｄ  テーパ部
２２Ｅ  滑り止め部材
２３  押圧部材
１９、２４  脱落防止手段
１００、１００Ａ、１００Ｂ、１００Ｃ、１００Ｄ、１００Ｅ、１００Ｆ、１００Ｇ、１００Ｈ、１００Ｊ、２００  顕微鏡装置
【図１】
0006378612.tif 000002
【図２】
0006378612.tif 000003
【図３】
0006378612.tif 000004
【図４】
0006378612.tif 000005
【図５】
0006378612.tif 000006
【図６】
0006378612.tif 000007
【図７】
0006378612.tif 000008
【図８】
0006378612.tif 000009
【図９】
0006378612.tif 000010
【図１０】
0006378612.tif 000011
【図１１】
0006378612.tif 000012
【図１２】
0006378612.tif 000013
【図１３】
0006378612.tif 000014
【図１４】
0006378612.tif 000015